(57)【要約】【課題】  作業現場で刃物等を用いることなく、上巻きテープ切断のための切裂き始端となる切れ目が得られるようにし、安全、簡単かつ容易に上巻テープが除去できるようにする。【解決手段】  複数本の光ファイバ心線２３を上巻きテープ２７で覆い、この上巻きテープ２７の外側にシース２９を被覆した光ファイバケーブル１１の上巻きテープ２７を除去する光ファイバケーブル解体方法であって、上巻きテープ２７をヤスリ３１で擦ることによって切れ目を作り、その切れ目３３を摘まんで引き裂くことにより上巻きテープ２７を除去する。特に、光ファイバ心線２３を収容するスロット溝１７を備えたスロット型光ファイバケーブル１１では、スロット溝１７を形成するリブ１９に接する部分の上巻きテープ２７を擦ることで切れ目３３を作ることが好ましい。【選択図】  図１
2009109846.tif 000002
【特許請求の範囲】
【請求項１】
複数本の光ファイバ心線を上巻きテープで覆い、該上巻きテープの外側にシースを被覆した光ファイバケーブルの前記上巻きテープを除去する光ファイバケーブル解体方法であって、
前記上巻きテープをヤスリで擦ることによって切れ目を作り、該切れ目を摘まんで引き裂くことにより前記上巻きテープを除去することを特徴とする光ファイバケーブル解体方法。
【請求項２】
請求項１に記載の光ファイバケーブル解体方法であって、
前記光ファイバ心線を収容するスロット溝を備えたスペーサの前記スロット溝を形成するリブに接する部分の前記上巻きテープを擦ることで前記切れ目を作ることを特徴とする光ファイバケーブル解体方法。
【請求項３】
請求項２に記載の光ファイバケーブル解体方法であって、
前記リブの肩部又は前記リブの先端面に形成した突部の何れかに接している部分の前記上巻きテープを擦ることで前記切れ目を作ることを特徴とする光ファイバケーブル解体方法。
【請求項４】
請求項１〜請求項３の何れか１項に記載の光ファイバケーブル解体方法であって、
前記上巻きテープの材質が不織布であることを特徴とする光ファイバケーブル解体方法。
【請求項５】
光ファイバ心線を収容するスロット溝を備えたスペーサの外周面に上巻きテープを巻き、該上巻きテープの外側にシースを被覆する光ファイバケーブルであって、
前記スロット溝を形成するリブの先端面に突部が形成されたことを特徴とする光ファイバケーブル。
【発明の詳細な説明】
【技術分野】
【０００１】
本発明は、複数本の光ファイバ心線を上巻テープで覆い、その外側を外被（シース）で被覆した光ファイバケーブルの上巻きテープを除去する光ファイバケーブル解体方法及び光ファイバケーブルに関する。
【背景技術】
【０００２】
通信用光ファイバケーブルとして、光ファイバ心線或いは光ファイバテープ心線を複数本、スペーサの外周に形成してある複数のスロット溝の中にそれぞれ収納し、その外周に上巻きテープを巻き付けた上で、さらにシースで覆った構造のスロット型光ファイバケーブルが知られている（例えば、特許文献１参照）。
【０００３】
図５は従来のスロット型光ファイバケーブルの一例を示す断面図である。図において、１はスペーサ、２はその断面中心に配された抗張力体、３はスペーサ１の外周に周方向間隔的に形成されたスロット溝、４は各スロット溝３の中に収容された光ファイバテープ心線、５はスペーサ１の外周に巻回された上巻きテープ、６は上巻きテープ５の外側に被覆された全周一定厚のシースである。
【０００４】
上記構成の光ファイバケーブル７を布設した中間部において、光情報配信契約等の加入者が発生した場合、光ファイバケーブル７を解体して接続を行う。すなわち、光ファイバケーブル７の中間部でシース６を除去した後、上巻きテープ５を除去し、光ファイバテープ心線４を取り出して、ドロップケーブルにより引き落とされる。この際、上巻きテープ５はスロット溝３の直上に巻かれており、除去する際には、図６に示すように、きっかけを作るため、ニッパ８や刃物等を、上巻きテープ５同士の重なり部９における上層の上巻きテープ５ａの下へ滑り込ませて切断を行っていた。
【０００５】
【特許文献１】特開２００１−３１１８６０号公報
【発明の開示】
【発明が解決しようとする課題】
【０００６】
光ファイバケーブル７のスロット溝３に収容されている光ファイバテープ心線４を取り出すには、上記のように、上巻きテープ５の除去が必要となる。このとき、上巻きテープ５は手指により摘むことができないだけでなく、上巻きテープ５の基材として用いられている不織布等は摘むのみでは引き裂くのが困難なため、一般にニッパ８等を滑り込ませて切断を行い、除去のきっかけを作る。ところが、光ファイバテープ心線４と上巻きテープ５の間には、防護するものはないため、図７に示すように、滑り込ませたニッパ８等によって誤って光ファイバテープ心線４を傷つける虞があった。
本発明は上記状況に鑑みてなされたもので、作業現場で刃物等を用いることなく、上巻きテープ切断のための切裂き始端となる切れ目を得ることができる光ファイバケーブル解体方法及び光ファイバケーブルを提供し、もって、安全、簡単かつ容易な上巻テープの除去を図ることを目的とする。
【課題を解決するための手段】
【０００７】
本発明に係る上記目的は、下記構成により達成される。
（１）  複数本の光ファイバ心線を上巻きテープで覆い、該上巻きテープの外側にシースを被覆した光ファイバケーブルの前記上巻きテープを除去する光ファイバケーブル解体方法であって、
前記上巻きテープをヤスリで擦ることによって切れ目を作り、該切れ目を摘まんで引き裂くことにより前記上巻きテープを除去することを特徴とする光ファイバケーブル解体方法。
【０００８】
この光ファイバケーブル解体方法によれば、上巻きテープをヤスリで擦ることによって切れ目が作られ、この切れ目が摘まれ引き裂かれることにより上巻きテープの除去が可能となる。切れ目は、上巻きテープに、手指での引き裂きが容易な脆弱部を形成するものでも良く、また、上巻きテープを分断するものであっても良い。上巻きテープの裏側に直接刃物等を差し入れるのではなく、表面から厚み方向に上巻きテープが徐々に除去されて行く。これにより、作業現場で刃物等を用いることなく、上巻テープ切断のための切裂き始端となる切れ目が安全且つ容易に得られる。
【０００９】
（２）  （１）に記載の光ファイバケーブル解体方法であって、
前記光ファイバ心線を収容するスロット溝を備えたスペーサの前記スロット溝を形成するリブに接する部分の前記上巻きテープを擦ることで前記切れ目を作ることを特徴とする光ファイバケーブル解体方法。
【００１０】
この光ファイバケーブル解体方法によれば、ヤスリを押し付けることによる反力がリブから上巻きテープに作用し、ヤスリを押し付ける力が大きくなり、上巻きテープの摩耗が早く進む。
【００１１】
（３）  （２）に記載の光ファイバケーブル解体方法であって、
前記リブの肩部又は前記リブの先端面に形成した突部の何れかに接している部分の前記上巻きテープを擦ることで前記切れ目を作ることを特徴とする光ファイバケーブル解体方法。
【００１２】
この光ファイバケーブル解体方法によれば、リブの肩部や突部を目印にヤスリかけが行え、作業が容易となるとともに、平坦な箇所よりも単位面積あたりの押し付け力を大きくでき、上巻きテープの摩耗を早めて、上巻きテープが破れ易くなる。また、切れ目が線状となり、切断位置の高精度な位置決めが可能となる。
【００１３】
（４）  （１）〜（３）の何れか１項に記載の光ファイバケーブル解体方法であって、
前記上巻きテープの材質が不織布であることを特徴とする光ファイバケーブル解体方法。
【００１４】
この光ファイバケーブル解体方法によれば、光ファイバ心線の保護強度を確保しつつ、ヤスリで擦ることによる容易な切裂きが可能となる。
【００１５】
（５）  光ファイバ心線を収容するスロット溝を備えたスペーサの外周面に上巻きテープを巻き、該上巻きテープの外側にシースを被覆する光ファイバケーブルであって、
前記スロット溝を形成するリブの先端面に突部が形成されたことを特徴とする光ファイバケーブル。
【００１６】
この光ファイバケーブルによれば、突部を覆う上巻きテープの部分がヤスリにて擦られることで、ヤスリを押し付ける単位面積あたりの力が大きくなり、上巻きテープの摩耗を早めて、平坦箇所よりも容易な切裂きが可能となる。
【発明の効果】
【００１７】
本発明に係る光ファイバケーブル解体方法によれば、上巻きテープをヤスリで擦ることによって切れ目を作り、この切れ目を摘んで引き裂くことにより上巻きテープを除去するので、作業現場で刃物等を用いることなく、上巻テープ切断のための切裂き始端となる切れ目を得ることができ、光ファイバ心線を傷つけずに、安全、簡単かつ容易に除去することができる。
【００１８】
本発明に係る光ファイバケーブルによれば、スロット溝を形成するリブの先端面に突部を形成したので、突部を覆う上巻きテープの部分をヤスリで擦ることにより、ヤスリを押し付ける単位面積あたりの力を大きくでき、上巻きテープの摩耗を早めて、平坦箇所よりも容易に切れ目を得ることができる。
【発明を実施するための最良の形態】
【００１９】
以下、本発明に係る光ファイバケーブル解体方法及び光ファイバケーブルの好適な実施の形態を図面を参照して説明する。
図１は本発明に係る解体方法の状況を表す光ファイバケーブルの断面図、図２は本発明に係る解体方法の状況を表す光ファイバケーブルの側面図、図３はヤスリの擦り方向を表す平面図である。
本発明に係る解体方法の説明に先立ち、解体対象となる光ファイバケーブルの構成について説明する。光ファイバケーブル１１は、中心に抗張力体（テンションメンバ）１３を有し、このテンションメンバ１３の周囲に樹脂製のスペーサ１５が一体的に設けられている。スペーサ１５の外周面には、複数本のスロット溝１７が一方向（所謂Ｓ状、Ｚ状）に或いは反転して平行（所謂ＳＺ状）に撚られて設けられている。
【００２０】
換言すれば、スロット溝１７は、スロット溝１７，１７同士間を仕切るリブ１９によって画成さている。リブ１９は、スペーサ１５の外周円を等間隔に分断した円弧状の先端面１９ａを有する。本実施の形態ではＳＺ状のスロット溝１７（図２参照）を例示する。スロット溝１７には光ファイバ２１をテープ状に被覆したテープ心線２３を積層して積層体２５を形成し、この積層体２５を収容している。
【００２１】
スペーサ１５の外周面には上巻きテープ２７が巻回されている。上巻きテープ２７の外側にはさらにシース２９（図２参照）が設けられて光ファイバケーブル１１を構成している。上巻きテープ２７の巻き方向は、縦添えでも横巻きでも良いが、本発明を特長付けるために、本実施の形態では横巻きとしている。上巻きテープ２７は全面にわたって巻かれており、織布または不織布を基材としてその内側面にはスロット溝１７に浸入した水の進行を防止する吸水層が設けられている。なお、不織布は吸水性のものには限定されない。また、上巻きテープ２７の材質に不織布を使用することで、テープ心線２３の保護強度を確保しつつ、後述のヤスリ３１で擦ることによる容易な切裂きが可能となっている。
【００２２】
次に、本発明に係る光ファイバケーブル解体方法について説明する。
上記構成の光ファイバケーブル１１を、本実施の形態による解体方法にて解体するには、先ず、シース２９を除去した部分の上巻きテープ２７をヤスリ３１で擦り、上巻きテープ２７の除去のきっかけとなる切れ目３３を入れる。ヤスリ３１を擦る方向ａとしては、図３に示すように、上巻きテープ２７の長手方向（巻回方向）と垂直方向が切裂きに効果的で望ましい。切れ目３３は、少なくとも上巻きテープ２７の幅寸法ｗ以上の長さであることが好ましい。
【００２３】
具体的にはシース２９の除去された光ファイバケーブル１１においてスペーサ１５のリブ１９直上にある上巻きテープ２７を数ｃｍの範囲に渡りヤスリ３１にて擦ることにより、上巻きテープ２７の一部を摩耗により破く。ヤスリ３１としては、サンドペーパーの他、金属製、ガラス製またはセラミック製の爪ヤスリ等も好適となる。次いで、ヤスリ３１により摩耗した切れ目３３の部分を起点とし、手で摘まんで上巻きテープ２７を引っ張ることにより、切れ目３３で分断した上巻きテープ２７を除去する（図２参照）。
【００２４】
上巻きテープ２７の除去は、一箇所の切れ目３３を形成し、この切れ目３３の近傍を摘んで分断した上巻きテープ２７の両端部を分離して除去しても良く、或いは所望間隔で二箇所の切れ目３３，３３を形成し、これら切れ目３３，３３を両端部とする中間部所望長の短尺上巻きテープ２７を一度に除去するものであっても良い。
【００２５】
この解体方法では、上巻きテープ２７をヤスリ３１で擦ることによって切れ目３３が作られ、この切れ目３３が摘まれ引き裂かれることにより上巻きテープ２７の除去が可能となる。切れ目３３は、上巻きテープ２７に、手指での引き裂きが容易な脆弱部を形成するものでも良く、また、上巻きテープ２７を分断するものであっても良い。上巻きテープ２７の裏側に直接刃物等を差し入れるのではなく、表面から厚み方向に上巻きテープ２７が徐々に除去されて行く。これにより、作業現場で刃物等を用いることなく、上巻きテープ２７切断のための切裂き始端となる切れ目３３が安全且つ容易に得られることとなる。
【００２６】
ヤスリ３１で擦り、切れ目３３を作る際には、スロット溝１７を形成するリブ１９に接する部分（すなわち、リブ先端面１９ａに接する部分）の上巻きテープ２７を擦ることで切れ目３３を作ることができる。ヤスリ３１を押し付けることによる反力が先端面１９ａから上巻きテープ２７に作用し、ヤスリ３１を押し付ける力が大きくなり、上巻きテープ２７の摩耗が早く進む。
【００２７】
また、図１に示すように、リブ１９の肩部１９ｂを擦ることによりさらに容易に切れ目３３を作ることができる。この場合、肩部１９ｂのエッジ部分が、手で触れた際に分かる程度の大きさの鋭角に形成されていることがより好ましい。リブ１９の肩部１９ｂを目印にヤスリかけが行え、作業が容易となるとともに、平坦な箇所よりも単位面積あたりの押し付け力を大きくでき、上巻きテープ２７の摩耗を早めて、上巻きテープ２７が破れ易くなる。また、切れ目３３が線状となり、切断位置の高精度な位置決めが可能となる。
【００２８】
さらに、本実施の形態による解体方法に適用される光ファイバケーブル１１は、スロット溝１７を形成するリブ１９の先端面１９ａに、図４に示す突部３５を形成してもよい。突部３５は、図４（ａ）に示すように、リブ１９の先端面１９ａに、リブ１９の延在方向に沿って設けた突条３５Ａとすることができる。また、突部３５は、図４（ｂ）に示すように、リブ１９の先端面１９ａに形成した稜線部３５Ｂとしてもよい。
【００２９】
このような突部３５を覆う上巻きテープ２７の部分がヤスリ３１にて擦られることで、ヤスリ３１を押し付ける単位面積あたりの力が大きくなり、上巻きテープ２７の摩耗を早めて、平坦箇所よりも容易な切裂きが可能となる。また、突部３５を目印にヤスリがけが行え、作業が容易となる。さらに、切れ目が線状となり、切断位置の高精度な位置決めが可能となる。
【００３０】
このように、上記の光ファイバケーブル解体方法によれば、上巻きテープ２７をヤスリ３１で擦ることによって切れ目３３を作り、この切れ目３３を摘まんで引き裂くことにより上巻きテープ２７を除去するので、作業現場で刃物等を用いることなく、上巻きテープ２７切断のための切裂き始端となる切れ目３３を得ることができ、テープ心線２３を傷つけずに、安全、簡単かつ容易に除去することができる。
【００３１】
また、突部３５を設けた光ファイバケーブル１１によれば、突部３５を覆う上巻きテープ２７の部分をヤスリ３１で擦ることにより、ヤスリ３１を押し付ける単位面積あたりの力を大きくでき、上巻きテープ２７の摩耗を早めて、平坦箇所よりも容易に切れ目３３を得ることができる。
【００３２】
なお、上記した実施の形態では、光ファイバ２１がテープ心線２３となり、積層体２５となってスペーサ１５のスロット溝１７に収容されるスペーサ型光ファイバケーブルを例に説明したが、本発明に係る光ファイバケーブル解体方法は、スペーサ１５を使用せず、複数本の束ねられた光ファイバ２１が上巻きテープ２７によって巻回される光ファイバケーブルにも適用可能であり、上記と同様の効果を奏するものである。
【実施例】
【００３３】
次に、上記構成と同等の光ファイバケーブルを対象に、発明に係る解体方法を実施した結果を説明する。
１５ｍｍ幅の上巻きテープ（不織布）を用い、ヤスリについては＃８００のサンドペーパーを用いた。
シースを５００ｍｍ除去し、スペーサのリブ直上で上巻きテープが重なる部分において、上巻きテープ長手方向と垂直方向にサンドペーパーで約３０往復擦った。
その結果、摩耗により２０ｍｍ程の切れ目が発生。その切れ目部を指で摘まみ上巻きテープを引っ張り、ニッパにより上巻きテープを幅方向に切断した。
容易に上巻きテープを除去することができた。その後、開口間の上巻きテープを除去したが、テープ心線の外傷は見られなかった。
【図面の簡単な説明】
【００３４】
【図１】本発明に係る解体方法の状況を表す光ファイバケーブルの断面図である。
【図２】本発明に係る解体方法の状況を表す光ファイバケーブルの側面図である。
【図３】ヤスリの擦り方向を表す平面図である。
【図４】光ファイバケーブルに設けられる突部の例を（ａ）（ｂ）で表す断面図である。
【図５】従来の光ファイバケーブルの断面図である。
【図６】従来の解体状況を表す光ファイバケーブルの側面図である。
【図７】従来の解体状況を表す光ファイバケーブルの断面図である。
【符号の説明】
【００３５】
１１  光ファイバケーブル
１５  スペーサ
１７  スロット溝
１９  リブ
１９ａ  リブの先端面
１９ｂ  リブの肩部
２７  上巻きテープ
２９  シース
３１  ヤスリ
３２  テープ心線（光ファイバ心線）
３３  切れ目
３５  突部
【図１】
2009109846.tif 000003
【図２】
2009109846.tif 000004
【図３】
2009109846.tif 000005
【図４】
2009109846.tif 000006
【図５】
2009109846.tif 000007
【図６】
2009109846.tif 000008
【図７】
2009109846.tif 000009